(57)【特許請求の範囲】
【請求項１】
第１発光手段と、前記第１発光手段の前方に配されるレンズ部材と、前記第１発光手段と前記レンズ部材との間に配され、前記第１発光手段からの光を前記レンズ部材に照射させるとともに、前記第１発光手段の視認防止を図る拡散シートと、を有する第１装飾部材と、
前記第１装飾部材とは異なる第２装飾部材と、
表示領域を有するとともに、演出画像を表示可能な画像表示手段と、
を備え、
前記第２装飾部材が、前記画像表示手段の前方に配設されるとともに、前記第２装飾部材の開口部分が前記表示領域に臨んでおり、
前記開口部分から所定の画像が出現する態様の演出画像を、前記画像表示手段に表示するものであって、
前記第２装飾部材は、背面側に凹状の背面空間を備え、
前記背面空間内には、前記第２装飾部材を光により装飾する第２発光手段を実装した発光手段取付基板が収容され、
前記背面空間外で、かつ前記発光手段取付基板の背面側には絶縁体が配されていることを特徴とする遊技機。
【請求項２】
透光性部材からなり、所定箇所に前記第１装飾部材が配設される遊技盤を備え、
前記画像表示手段は、前記遊技盤の背面側に配設されていることを特徴とする請求項１に記載の遊技機。
【発明の詳細な説明】
【技術分野】
【０００１】
本発明は、装飾部材を発光手段からの光によって装飾・演出する遊技機に関する。
【背景技術】
【０００２】
例えば、弾球遊技機では、遊技者が発射ハンドルを操作して、遊技球を発射領域から遊技領域へと打ち込み、遊技球が遊技領域を転動流下して所定の入賞装置への入賞を契機に所定の賞球を得て遊技を楽しむものであるが、昨今遊技者のニーズも高まり、単に賞球を得るだけでは遊技者の興趣を向上させることが困難になっている。
【０００３】
そこで昨今の遊技機には、遊技者の興趣を向上させるため、種々の趣向を凝らせているものがある。遊技者の興趣を向上させる手段の１つとして遊技盤に様々な装飾部材を配設するとともにその装飾部材を発光体からの光により発光させることで、装飾的・演出的効果を上げて興趣の向上を図っているものが知られている。
従来、そのよう発光体により装飾・演出性を向上させるようにした遊技機の一例として、装飾部材の裏側にＬＥＤ（Light Emitting Diode  発光ダイオード）などの発光手段を配置し、発光したＬＥＤの光を反射凹面部で反射させることで、あたかも装飾部材が浮き上がったように見せるものがある（例えば特許文献１を参照。）。
【０００４】
しかし、特許文献１に開示の先行技術の場合、装飾部材の背後に、その装飾部材方向に向けてＬＥＤなどの発光手段を配置しているものであるため、遊技者の見る角度によっては、ＬＥＤの素子やこれを取り付ける発光手段取付基板が直接視認されてしまう虞がある。これでは、せっかく発光体により装飾性を向上させようとしても、美観を損ねてしまい、かえって装飾性が低下してしまうという問題があった。
【先行技術文献】
【特許文献】
【０００５】
【特許文献１】特開２００２−１４３４０４号公報
【発明の概要】
【発明が解決しようとする課題】
【０００６】
本発明は、このような問題を解決するためになされており、その目的とするところは、遊技盤に備えた装飾部材を光により演出する発光手段の視認を困難にすることにより、装飾部材の美観を向上させて装飾効果を高める遊技機を提供することである。
【課題を解決するための手段】
【０００７】
このような目的を達成するために、第１の発明は、第１発光手段と、前記第１発光手段の前方に配されるレンズ部材と、前記第１発光手段と前記レンズ部材との間に配され、前記第１発光手段からの光を前記レンズ部材に照射させるとともに、前記第１発光手段の視認防止を図る拡散シートと、を有する第１装飾部材と、前記第１装飾部材とは異なる第２装飾部材と、表示領域を有するとともに、演出画像を表示可能な画像表示手段と、を備え、前記第２装飾部材が、前記画像表示手段の前方に配設されるとともに、前記第２装飾部材の開口部分が前記表示領域に臨んでおり、前記開口部分から所定の画像が出現する態様の演出画像を、前記画像表示手段に表示するものであって、前記第２装飾部材は、背面側に凹状の背面空間を備え、前記背面空間内には、前記第２装飾部材を光により装飾する第２発光手段を実装した発光手段取付基板が収容され、前記背面空間外で、かつ前記発光手段取付基板の背面側には絶縁体が配されていることを特徴とする遊技機としたことである。
【０００８】
第２の発明は、第１の発明において、透光性部材からなり、所定箇所に前記第１装飾部材が配設される遊技盤を備え、前記画像表示手段は、前記遊技盤の背面側に配設されていることを特徴とする遊技機としたことである。
【発明の効果】
【００１０】
本発明によれば、装飾部材を光により演出する発光手段の視認を困難にすることにより、装飾部材の美観を向上させて装飾効果を高める遊技機を提供できた。
【図面の簡単な説明】
【００１１】
【図１】遊技機の一例を示す概略正面斜視図である。
【図２】遊技盤の概略正面図である。
【図３】図２の遊技盤から遊技盤ベースを取り除いた状態の概略正面図である。
【図４】図３の概略背面図である。
【図５】図３の概略斜視図である。
【図６】図２のＡ−Ａ線断面図である。
【図７】第一の装飾ユニットの概略正面図である。
【図８】第一の装飾ユニットの概略背面図である。
【図９】第一の装飾ユニットの概略斜視図である。
【図１０】第一の装飾ユニットの概略側面図である。
【図１１】図７のＣ−Ｃ線断面図である。
【図１２】正面側から見た第一の装飾ユニットの概略分解斜視図である。
【図１３】背面側から見た第一の装飾ユニットの概略分解斜視図である。
【図１４】装飾パネルと一体に備えた反射面部の概略正面図である。
【図１５】図１４の概略正面斜視図である。
【図１６】図１４の概略側面図である。
【図１７】図１６のＢ−Ｂ線断面図である。
【図１８】第二の装飾ユニットの概略正面図である。
【図１９】第二の装飾ユニットの概略正面斜視図である。
【図２０】第二の装飾ユニットの概略背面図である。
【図２１】図１８のＫ−Ｋ線断面図である。
【図２２】図１８のＬ−Ｌ線断面図である。
【図２３】第二の装飾ユニットの分解正面斜視図である。
【図２４】第二の装飾ユニットの分解背面斜視図である。
【図２５】第二の装飾ユニットのレンズ部材の一部を拡大して示す概略背面斜視図である。
【図２６】第二の装飾ユニットの装飾枠パネルの概略正面図である。
【図２７】図２６のＤ−Ｄ線断面図である。
【図２８】図２６のＥ−Ｅ線断面図である。
【図２９】装飾枠パネルとレンズ部材のみからなる第二の装飾ユニットの概略正面図である。
【図３０】図２９のＦ−Ｆ線断面図である。
【図３１】図２９のＧ−Ｇ線断面図である。
【図３２】図２９のＨ−Ｈ線断面図である。
【図３３】図２９のＩ−Ｉ線断面図である。
【図３４】図２９のＪ−Ｊ線断面図である。
【図３５】図２９の底面図である。
【発明を実施するための形態】
【００１２】
以下、本発明の遊技機の一実施形態について説明する。なお、本実施形態では、本発明遊技機の一例として、図に示す形態の弾球遊技機（以下、単に遊技機という。）を挙げて説明する。なお、図示形態は本発明遊技機の一例にすぎずなんら限定解釈されるものではなく、その他の形態を有する遊技機、例えば封入球式遊技機や、あるいは回胴式遊技機（スロット機）なども対象で、本発明の範囲内で設計変更可能である。
【実施例１】
【００１３】
遊技機は、図１に示すように遊技場の島設備に配設される本体枠１を含み、該本体枠１には図２に示す遊技盤６が装着されている。
そして、遊技盤６の背面側には、遊技盤６の表面領域Ａに画像による演出を表示する図示しない画像表示手段（例えば液晶表示装置（LCD:Liquid Crystal Display）など）が配設される。
【００１４】
本体枠１の前面側には、図１に示すように、透光性を有する合成樹脂板やガラス板などを組み込んで前記遊技盤６を視認可能にして開閉可能に配設される開閉扉２と、該開閉扉２の前面側に一体に備えられる上皿３と、該開閉扉２の下方にて本体枠１の前面側に配設される下皿４およびハンドル５が備えられている。
上皿３の前面側には、画像表示手段に変動表示される図柄の変動を、遊技者により停止操作可能な操作手段（図柄停止ボタン）２０が備えられている。
本実施形態におけるハンドル５は、図１に示すように、遊技者側から見た状態で下皿４の左側（図１にて左側）に備えられており、ハンドル５の回動操作により内蔵されている図示しない遊技球発射機構（例えば発射ソレノイドなど）を操作し、遊技球を遊技盤６の遊技球転動領域Ａ１へ打ち出すものである。なお、ハンドル５は、遊技球を発射操作する場合に、遊技者側から見て時計方向に回転させる形態と、反時計方向に回転させる形態のいずれであってもよい。
このようにハンドル５を遊技機の左側に備えたことにより、操作手段（図柄停止ボタン）２０の操作が右手で行えるため、ボタン操作がし易い。また、特に左利きの遊技者にとってハンドル操作がし易くなるという利点もある。
なお、ハンドル５は、遊技者側から見た状態で右側に備えられる形態であってもよく特に限定解釈されるものではない。
【００１５】
本実施形態では、図示しないが、本体枠１内で画像表示手段の背面には、遊技の進行を制御する主制御基板（主制御回路）や、該主制御基板（主制御回路）からの信号に従って各演出装置（発光装置、画像表示手段，スピーカなど）を制御する副制御基板（副制御回路）などの制御装置を配した図示しない基板ベースが装着されている。
【００１６】
遊技盤６は、図２に示すように、透光性部材からなる遊技盤ベース７の表面領域Ａに、
樹脂材からなる外側のガイドレールＬ１と、正面視左側で外側のガイドレールＬ１の内側に配され、所定の遊技球発射領域Ｄを形成する同じく樹脂材からなる内側のガイドレールＬ２を備え、そのガイドレールＬ１，Ｌ２によって区画された表面領域には、一般入賞装置８、遊技状態を大当りとするか否かの抽選処理を起動する始動領域としての始動入賞装置９、大当たり遊技状態の発生に基づき、入賞口の開放動作を行うアタッカと称する特別電動役物を構成する大入賞装置１１、遊技球の流下に変化を与える多数の遊技釘などの遊技部材を備えて遊技球転動領域Ａ１を構成している。
【００１７】
遊技盤ベース７は、例えば本実施形態では、その遊技盤ベース７の全体を透光性部材（透明部材）で形成して裏側が視認可能に構成されている。
また、遊技盤ベース７は、透光性部材で形成した領域を少なくとも一部に有し、その透光性部材で形成した領域を介して裏側に配設される画像表示手段（液晶表示装置）、及び後述する装飾ユニット（第一の装飾ユニット３３，第二の装飾ユニット４０）などが遊技者側から視認されることで演出効果・装飾効果などを奏し得るものであればよい。
【００１８】
遊技盤ベース７を形成する透光性部材は、例えば、遊技部材を固定でき、かつ、容易に変形しない（曲がらない）又は変質しない程度の硬度・強度等を有し、かつ透明な材質のものを選択する。例えば、透明性の高い硬質の合成樹脂材が一例として挙げられ、さらに具体的には、無色透明のアクリル樹脂材、ポリカーボネート樹脂材、ポリアリレート樹脂材などが任意に選択される。また、樹脂以外の材質、例えばガラスなどを採用することも本発明の範囲内であり設計変更可能である。
遊技盤ベース７の全体を構成する透光性部材は無色透明とするが、有色透明部材を採用することも可能である。また仕様によっては遊技盤ベース７を無色透明部材と有色透明部材とで構成したり、遊技盤ベース７に色彩・模様を施したりすることも可能であり、前記画像表示手段（液晶表示装置）の表示に悪影響を及ぼさない範囲内で設計変更可能である。この場合、模様は無色透明の線図が好ましいが、遊技盤ベース７の裏面側に配設される画像表示手段（液晶表示装置）の構成によっては有色模様を施すことも可能である。
【００１９】
装飾ユニットは、例えば本実施例では、第一の装飾ユニット３３と第二の装飾ユニット４０とし、図３乃至図６に示すように、遊技盤ベース７の背面側に着脱可能に取り付けられている。
具体的な一例について説明すると、遊技盤ベース７と略同一の大きさに形成され、かつ画像表示手段を視認可能とする貫通孔１３を設けた略矩形状の枠部（スペーサ）１２が、遊技盤ベース７と画像表示手段との間に介在されている。そして、その枠部１２の貫通孔１３の下方領域の裏側に背面板（入賞球回収カバー）１４が着脱可能に設けられている。
そして、前記背面板１４の前面所定位置には第一の装飾ユニット３３が着脱可能に取り付けられ、枠部１２の貫通孔１３の上方領域には第二の装飾ユニット４０が着脱可能に取り付けられている。
なお、この背面板１４は透光性を有する部材で形成されている。
「第一の装飾ユニット構成」
【００２０】
第一の装飾ユニット３３は、所定形状に形成した装飾部材３４と、装飾部材３４を光により装飾する発光手段３５ａと、装飾部材３４の裏側に配設するとともに、発光手段３５ａから発光された光を装飾部材３４の方向へと反射させる反射面部（リフレクタともいう。）３７で構成されている。
【００２１】
装飾部材３４は、遊技盤６の透明領域に対応する位置の裏側であって、該遊技盤６の前面側から視認可能な位置に配設される。
図７乃至図１７に示すように、本実施例では、装飾部材３４が所定の合成樹脂材にて正面視で半割した壷（蛸壺）形状に形成されており、前面領域が中央領域から端縁にわたりなだらかな湾曲をもって形成されるとともに、その前面領域が所定の配色をもって着色されている。すなわち、このような形状により、装飾部材３４の背面側は湾曲した凹面空間３４ｇに形成されている。
【００２２】
また、本実施例では、この装飾部材３４は、略中央位置で左右に二つに分かれる分離構成（右側部材３４ａ，左側部材３４ｂ）としている。図７中で、縦線ＨＬで示す直線が、右側部材３４ａ，左側部材３４ｂの突き合わせ面である。
また、所定位置には、前面から背面にわたって貫通する複数個の取付孔部３４ｃ，３４ｃ…が設けられており、それぞれの取付孔部３４ｃには、所定の文字をデザイン化した複数の凸部３４ｄ，３４ｄ…が着脱可能に嵌め込まれて装飾部材３４の前面に文字デザインが突状に施されている。本実施例では、「Ｔ」「Ｓ」「Ｕ」「Ｂ」「Ｏ」のそれぞれの文字を有する凸部３４ｄが、その短尺円筒状突起３４ｅを前記取付孔部３４ｃに嵌め込んで装飾部材３４の前面に「ＴＳＵＢＯ（つぼ）」の文字を設けている。
そして、その背面側（凹面空間３４ｇ）には、後述する発光手段３５ａ、シート３６を着脱可能に挿通するとともに、反射面部３７とネジ５０を介して固定する二つの棒状の突起３４ｆ，３４ｆが間隔をあけて設けられている。突起３４ｆ，３４ｆには、その先端から内方に向けて前記ネジ５０が螺合可能なネジ孔が設けられている。
【００２３】
発光手段３５ａは、反射面部３７に向けて光を放つように装飾部材３４の背面に着脱可能に配設されている。具体的には、反射面部３７方向に向けて複数個配設されている、例えば本実施例ではＬＥＤ（Light Emitting Diode  発光ダイオード）が想定されており、この発光手段３５ａ，３５ａ…を多角形板状（本実施例では八角形の薄板）の発光手段取付基板（ＬＥＤ基板）３５ｂに備え、装飾部材３４の凹面状の背面空間３４ｇに収容している。
図中、３５ｃは、ＬＥＤ基板３５ｂの略中央に突設されているコネクタで、ＬＥＤ基板３５ｂと発光手段３５ａの発光制御を行う図示しない発光制御基板（演出制御基板）とを接続する配線である。また、そのコネクタ３５ｃから左右に所定の間隔をあけて設けられている孔は、前記装飾部材３４の背面に突設されている突起３４ｆ，３４ｆが挿通可能な挿通孔部３５ｄ，３５ｄである。すなわち、本実施例では、装飾部材３４の背面空間３４ｇにＬＥＤ基板３５ｂを配設した時に、コネクタ３５ｃが装飾部材３４の裏面中央に対向する位置より延出されることとしている。なお、コネクタ３５ｃからの図示しない配線は、背面板１４の裏側に設けた所定の係止部に沿わして中継基板Ｃに接続された後、図示しない発光制御基板（演出制御基板）へと接続される。
【００２４】
また、本実施例では、図１２及び図１３に示すように、発光手段３５ａと反射面部３７との間に、発光手段３５ａからの光を透過させるとともに、発光手段３５ａからの静電ノイズが反射面部３７へ飛来するのを防止する透明樹脂製のシート３６を備えている。
【００２５】
このシート３６は、例えばポリカーボネート製の透明樹脂にて、前記ＬＥＤ基板３５ｂと略同一の正面視形状（本実施例では正面視八角形の薄板状）の薄肉シートに形成されている。なお、このシート３６は、絶縁体であれば何れの材料を用いることも可能である。
すなわち、反射面部３７に静電ノイズが乗ると、他の電気部品や制御基板へ導電し、誤作動することが懸念されるため、シート３６はこれを防止するためのものである。
また、シート３６の略中央に設けられている孔は、前記ＬＥＤ基板３５ｂのコネクタ３５ｃが挿通可能な挿通孔部３６ａで、その挿通孔部３６ａから左右に所定の間隔をあけて設けられている孔は、前記装飾部材３４の背面に突設されている突起３４ｆ，３４ｆが挿通可能な挿通孔部３６ｂ，３６ｂである。
【００２６】
反射面部３７は、本実施例では、図１４及び図１５に示すように、例えば二枚貝の一方の貝殻形状を模した形状に形成されている。すなわち、底面部３７ａと、底面部３７ａからなだらかな湾曲面をもって立ち上げ形成される側面部３７ｂとで形成され、その側面部３７ｂによって囲まれた領域３７ｈを凹面形状に形成している貝殻形状（いわゆるお椀形）とする。また、本実施例では、装飾部材３４の壷開口部分３４ｈが、画像表示手段の表示領域に臨むように側面部３７ｂの左上方が切欠かれている。
【００２７】
図１４及び図１５中で、底面部３７ａの略中央に設けられている孔は、前記ＬＥＤ基板３５ｂのコネクタ３５ｃの延出位置と対向する位置で、コネクタ３５ｃを反射面部３７の裏面側へと案内可能な開口部３７ｆである。そして、その開口部３７ｆから左右に所定の間隔をあけて設けられている孔は、前記装飾部材３４の背面に突設されている突起３４ｆ，３４ｆとネジ５０により共締めされるネジ挿通孔３７ｇ，３７ｇである。
このように、ネジ５０によりネジ挿通孔３７ｇ，３７ｇと突起３４ｆ，３４ｆが共締めされることにより、装飾部材３４、発光手段３５ａ、シート３６および反射面部３７が一体に設けられる。
凹面形状の領域３７ｈは、例えば図７、図９及び図１０に示すように、上述した装飾部材３４、発光手段３５ａおよびシート３６を収容可能な広さに形成し、装飾部材３４を一体に取り付けた際に、側面部３７ｂの端縁と装飾部材３４の前面とが略同一平面に位置するように構成する。
【００２８】
この反射面部３７は、その面上に複数の凹状部３７ｃを形成している。例えば本実施例では、図１４、図１５及び図１７に示すように、側面部３７ｂを凹凸状（波形）に形成してその内面上に複数の凹状部３７ｃを形成している。このように構成することで、発光手段３５ａからの光を多方向へ反射させ、発光演出効果の向上が図られている。
【００２９】
さらに本実施例では、少なくとも反射面部３７（装飾部材３４と対向する底面部３７ａと側面部３７ｂ）を銀メッキ被覆している。
また、反射面部３７は、装飾部材３４に対向する所定領域、すなわち本実施例では、底面部３７ａと側面部３７ｂとの境界領域３７ｄに表面が粗面加工された粗面加工部３７ｅを施し、発光手段３５ａからの光を乱反射可能としている。本実施例では、粗面加工の一例としてシボ加工を想定している。
このように構成することで、メッキ被覆された反射面部３７に発光手段３５ａ自体が写り込み、遊技者によってその態様が視認されることを困難とし、装飾効果が低減することを防止している。
【００３０】
そしてこの反射面部３７は、本実施例では、透明樹脂で所定形状に形成された装飾パネル３８の上端に一体成形されている。そして、その装飾パネル３８を前記背面板１４の前面側の上方端部領域にビス止めなどにより着脱可能に取り付ける。これにより、装飾部材３４・発光手段３５ａ・シート３６および反射面部３７からなる第一の装飾ユニット３３は、背面板１４の上方にてその一部が突出状態（図３乃至図５参照）で、遊技盤ベース７の透明部分と画像表示手段との間に配設される。
そして、本実施例では、装飾部材３４は、発光手段３５ａと反射面部３７により光の演出を行うとともに、背面側に配される画像表示手段との兼ね合いにより、装飾部材３４の形状に関連する画像演出を行うものとする。
すなわち、本実施例では、装飾部材３４としていわゆる蛸壺形状を用い、その壷開口部分３４ｈが遊技者側から見て左斜め上方に向くように配設（画像表示手段の表示領域に向くように配設）しているため、この壷開口部分３４ｈから蛸やダイバーなどの様々なキャラクタ、あるいは墨などが出現する態様を画像表示手段の画像により表示するなどの演出が可能である。
【００３１】
本実施例では、第一の装飾ユニット３３を上述したように構成しているが、次に開示するような変形例であっても実現可能である。
【００３２】
上述した本実施例では、発光手段３５ａの一例としてＬＥＤをもって説明したが、発光手段３５ａはＬＥＤに限定解釈されるものではなく、所定のランプなど他の発光手段が本発明の範囲内で選択可能である。
また、ＬＥＤ基板３５ｂからの配線は、何れの方向から延出されるようにしてもよい。
また、静電防止用のシート３６は、ポリカーボネートに限らず、他の透明樹脂、あるいは透明で絶縁効果を有する素材にて構成してもよい。本実施例ではシート３６として透明樹脂を用いたが、不透明であってもよく、この場合には発光手段３５ａの光を透過できるように導光孔を設けることで実現可能である。なお、ＬＥＤ基板３５ｂや反射面部３７において、静電防止対策が施されていれば、静電防止用のシート３６を設けない構成としてもよい。
【００３３】
反射面部３７は、発光手段３５ａの光を反射可能な構造であれば特に図示形状に限定されるものではない。
なお、本実施例では、反射面部３７は、少なくとも装飾部材３４に対向する所定領域を凹面形状に形成した一例をもって説明したが、反射面部３７は、発光手段３５ａから発光された光を装飾部材３４の方向へと反射させる機能を有しているものであれば特に凹面形状に形成されていないものであってもよく本発明の範囲内で設計変更可能である。
また、上述の実施例では、メッキ被覆された形態をもって説明したが、金属部材や鏡面加工、あるいは鏡で形成されているものなどであってもよい。
粗面加工部３７ｅは、本実施例のようにシボ加工に限定解釈されるものではなく、ブラスト加工やダイヤカット加工など、発光手段３５ａからの光を拡散可能な粗面加工であればよく本発明の範囲内で他の加工に設計変更可能である。
「第二の装飾ユニット構成」
【００３４】
図１８乃至図３５は第二の装飾ユニット４０の構成を示す。
第二の装飾ユニット４０は、機種に合わせたロゴを表現した装飾ロゴが光により装飾演出される構造で、図３乃至図６に示すように、枠部１２の貫通孔１３の上方領域に着脱可能に取り付けられている。
【００３５】
第二の装飾ユニット４０は、本実施例では、ベース部材４１、レンズ部材４２、拡散シート４３、グラデーションシート４４、ＬＥＤ基板４５、基板取付部材４６から構成されている。
【００３６】
ベース部材４１は、合成樹脂材料をもって所定の形状、例えば本実施例では、枠部１２の貫通孔１３の上方領域に沿った外郭部４１ａと、背面部４１ｂと、その背面部４１ｂに設けられたレンズ部材４２を嵌合するための開口部４１ｃから構成されている。
【００３７】
外郭部４１ａの左右側面所定位置には、枠部１２に設けた所定の係止孔部１２ａ，１２ａに弾性をもって係止可能な略矢尻形状の弾性係止片４１ｄ，４１ｄが、その係止片先端４１ｅ，４１ｅを奥行き方向に向くように突設されている。
【００３８】
背面部４１ｂには、上端側に対して下端側が奥行き方向に位置するように傾斜状に形成するとともに、開口部４１ｃを配設した領域を除く前面領域を段差状に構成している。
【００３９】
開口部４１ｃは、レンズ部材４２の形状に合わせた形に開口されるとともに、背面部４１ｂの前面所定位置にて前方に膨出した構造となっている。
本実施例では、開口部４１ｃの開口形状が、「ＴＡＣＯ」，「ＳＬＯＴ」の文字形状を有する開口４１０ｃと、その両文字開口４１０ｃ，４１０ｃ間に「たこ」を表現した図柄形状を有する開口４１１ｃとなっている。
この「ＴＡＣＯ」，「ＳＬＯＴ」の文字形状を有する開口４１０ｃは、図１９及び図３５に示すように、上方は略垂直に形成されているが、中央より下方は奥行き方向へ湾曲した形状となっている。また、「たこ」を表現した開口４１１ｃは、上端から下端まで略垂直に形成されている。
【００４０】
開口部４１ｃを前方に膨出した形状とした理由は、前方に膨出させることで「ＴＡＣＯ」，「ＳＬＯＴ」の文字部分や「たこ」の図柄部分を前方へ浮き出させるような装飾性を付与させるようにすることと、レンズ部材４２を嵌合したときにおける後方のスペースと、成形時におけるヒケや反りあるいは各部材の強度の問題を解決するためである。
すなわち、開口部４１ｃを前方に膨出させない場合には、レンズ部材４２の厚さを薄くしなければならず、また、この場合、開口部４１ｃの形態を確保するためにはある程度の厚さを確保しなければならない。そうすると、例えばレンズ部材４２の「ＴＡＣＯ」の「Ｔ」と「Ａ」の間の一部を切欠く必要性が生じ、レンズ部材４２にヒケや反りの問題、強度の問題が発生する。そこで、開口部４１ｃを前方に膨出させることで、開口部分の形態の確保が可能であるとともに、レンズ部材４２の厚みを確保でき、強度の向上及びヒケや反りの問題を解消することができる。
【００４１】
レンズ部材４２は、透光性を有する樹脂材料で所定形状に形成されており、本実施例では、「ＴＡＣＯ」の文字部分４２ａ，「ＳＬＯＴ」の文字部分４２ｂと、その両文字４２ａ，４２ｂ間に表した「たこ」の図柄部分４２ｃとで構成されている。
レンズ部材４２は、文字や図柄を表している前面部４２ｄと前面部４２ｄの周縁から立ち上げられる側面部４２ｅで構成され、側面部４２ｅで囲われた領域が凹状の空間４２ｈとなっている。
また、このレンズ部材４２には、所定の光拡散加工、たとえばダイヤカット加工やシボ加工など、所定の周知拡散加工を施すことが可能である。透光性を有する樹脂材料であれば無色透明の他、有色透明のものも採用可能である。
【００４２】
拡散シート４３は、レンズ部材４２の正面視形状と略同一の薄肉状に形成し、レンズ部材４２へＬＥＤ基板４５に配した図示しないＬＥＤからの光が均等に照射されるようにするためのものであり、このシート４３によりＬＥＤ素子が視認されることを防止でき、装飾効果の向上を図ることができる。
【００４３】
グラデーションシート４４は、例えばシートの一部の色合いを濃くすることで、１つの発光源により、多彩な色合いを持たせる効果が発揮できるものである。
【００４４】
「ＴＡＣＯ」「ＳＬＯＴ」に対応する拡散シート４３及びグラデーションシート４４には、外側端部にそれぞれ弾性係合片４３ａ，４４ａが設けられており、この係合片４３ａ，４４ａはレンズ部材４２の外側端部に設けられた係合孔４２ｆ，４２ｆにそれぞれ弾性をもって係合されるとともに、拡散シート４３及びグラデーションシート４４の内側端部をレンズ部材４２の前面部４２ｄの内面所定位置に突設した弾性係合片４２ｇ，４２ｇに弾性をもって係合させて凹状の空間４２ｈ内に収容するように構成している。
【００４５】
ＬＥＤ基板４５には、所定のＬＥＤが複数個実装されており、ＬＥＤはレンズ部材４２によって構成される各文字及びたこの図柄に対応して配置されている。
【００４６】
基板取付部材４６は、ＬＥＤ基板４５を、その実装されているＬＥＤがレンズ部材４２の方向に向くようにして着脱可能に一体に取り付け固定する。そして、この基板取付部材４６は、ベース部材４１とも着脱可能に一体に取付固定される。
【００４７】
本発明は、遊技盤に備えた装飾部材を発光手段からの光によって装飾・演出する遊技機に関する。
【００４８】
例えば、弾球遊技機では、遊技者が発射ハンドルを操作して、遊技球を発射領域から遊技領域へと打ち込み、遊技球が遊技領域を転動流下して所定の入賞装置への入賞を契機に所定の賞球を得て遊技を楽しむものであるが、昨今遊技者のニーズも高まり、単に賞球を得るだけでは遊技者の興趣を向上させることが困難になっている。
【００４９】
そこで昨今の遊技機には、遊技者の興趣を向上させるため、種々の趣向を凝らせているものがある。遊技者の興趣を向上させる手段の１つとして遊技盤に様々な装飾部材を配設するとともにその装飾部材を発光体からの光により発光させることで、装飾的・演出的効果を上げて興趣の向上を図っているものが知られている。
従来、そのよう発光体により装飾・演出性を向上させるようにした遊技機の一例として、装飾部材の裏側にＬＥＤ（Light Emitting Diode 発光ダイオード）などの発光手段を配置し、発光したＬＥＤの光を反射凹面部で反射させることで、あたかも装飾部材が浮き上がったように見せるものがある（例えば特許文献１を参照。）。
【特許文献１】特開２００２−１４３４０４号公報
【００５０】
しかし、特許文献１に開示の先行技術の場合、装飾部材の背後に、その装飾部材方向に向けてＬＥＤなどの発光手段を配置しているものであるため、遊技者の見る角度によっては、ＬＥＤの素子やこれを取り付ける発光手段取付基板が直接視認されてしまう虞がある。これでは、せっかく発光体により装飾性を向上させようとしても、美観を損ねてしまい、かえって装飾性が低下してしまうという問題があった。
【００５１】
本発明は、このような問題を解決するためになされており、その目的とするところは、遊技盤に備えた装飾部材を光により演出する発光手段の視認を困難にすることにより、装飾部材の美観を向上させて装飾効果を高める遊技機を提供することである。
【００５２】
このような目的を達成するために、遊技盤６の所定箇所に配設した装飾部材３４と、
装飾部材３４を光により装飾する発光手段（ＬＥＤ）３５ａと、
装飾部材３４の裏側に配設するとともに、発光手段３５ａから発光された光を装飾部材３４の方向へと反射させる反射面部３７を含み、
発光手段３５ａは、反射面部３７に向けて光を放つように装飾部材３４の裏面に配設することを特徴とする遊技機としたことである。
【００５３】
これによれば、発光手段（ＬＥＤ）３５ａは装飾部材３４の裏側に配置され、発光手段３５ａが遊技者により直接視認されることがなく、装飾部材３４を光により装飾・演出することができるため、装飾効果の向上が図れる。
【００５４】
また、反射面部３７は、装飾部材３４に対向する所定領域に粗面加工（シボ加工）３７ｅを施したことを特徴とする遊技機としたことである。
【００５５】
これによれば、粗面加工３７ｅ部分で光が乱反射するため、反射面部３７を介して発光手段３５ａが視認されるのを困難にすることができ、装飾効果の更なる向上が図れる。
【００５６】
また、反射面部３７は、凹面形状に形成したことを特徴とする遊技機としたことである。
【００５７】
これによれば、反射面部３７を凹面形状にして反射する光の角度を多様化することで装飾効果を増大させることができる。
【００５８】
また、反射面部３７は、その面上に複数の凹状部３７ｃを形成したことを特徴とする遊技機としたことである。
【００５９】
これによれば、反射面部３７の面上に複数の凹状部３７ｃを形成したことにより、反射面部３７に反射する光の角度を多様化することができ、装飾効果を増大させることができる。
【００６０】
また、少なくとも反射面部３７における装飾部材３４の対向面をメッキ被覆したことを特徴とする遊技機としたことである。
【００６１】
これによれば、光の拡散効果を向上させやすくなる。
【００６２】
また、遊技盤６は、少なくとも裏側の一部が視認可能な透明部材で形成され、装飾部材３４は、遊技盤６の裏側であって、該遊技盤６の前面側から視認可能な位置に配設したことを特徴とする遊技機としたことである。
【００６３】
これによれば、遊技者の視点から遠いほど、発光手段３５ａの視認性がより困難となるので、装飾効果の向上が図れる。また、遊技盤６の表側に配設するよりも遊技球との干渉が少ないため、設計の自由度が増す。
【００６４】
また、反射面部３７方向に向けて発光手段３５ａを備えた発光手段取付基板（ＬＥＤ基板）３５ｂを装飾部材３４の裏面に備え、
発光手段取付基板３５ｂと前記発光手段３５ａの発光制御を行う発光制御基板とを接続する配線を、発光手段取付基板３５ｂにおける装飾部材３４の裏面中央に対向する位置より延出し、
反射面部３７は、前記配線延出位置と対向する位置に、当該配線を反射面部３７の裏面側へと案内する開口部３７ｆを備えたことを特徴とする遊技機としたことである。
【００６５】
これによれば、遊技者による配線の視認性をも困難にすることができるので、装飾効果を向上させることができる。
【００６６】
本発明によれば、遊技盤に備えた装飾部材を光により演出する発光手段の視認を困難にすることにより、装飾部材の美観を向上させて装飾効果を高める遊技機を提供できた。
【符号の説明】
【００６７】
６  遊技盤
７  遊技盤ベース
１２  枠部（スペーサ）
１４  背面板（入賞球回収カバー）
３３  第一の装飾ユニット
３４  装飾部材
３５ａ  発光手段
３５ｂ  発光手段取付基板（ＬＥＤ基板）
３７  反射面部
３７ｃ  凹状部
３７ｅ  粗面加工
３７ｆ  開口部
４０  第二の装飾ユニット
【図１】
0005580451.tif 000002
【図２】
0005580451.tif 000003
【図３】
0005580451.tif 000004
【図４】
0005580451.tif 000005
【図５】
0005580451.tif 000006
【図６】
0005580451.tif 000007
【図７】
0005580451.tif 000008
【図８】
0005580451.tif 000009
【図９】
0005580451.tif 000010
【図１０】
0005580451.tif 000011
【図１１】
0005580451.tif 000012
【図１２】
0005580451.tif 000013
【図１３】
0005580451.tif 000014
【図１４】
0005580451.tif 000015
【図１５】
0005580451.tif 000016
【図１６】
0005580451.tif 000017
【図１７】
0005580451.tif 000018
【図１８】
0005580451.tif 000019
【図１９】
0005580451.tif 000020
【図２０】
0005580451.tif 000021
【図２１】
0005580451.tif 000022
【図２２】
0005580451.tif 000023
【図２３】
0005580451.tif 000024
【図２４】
0005580451.tif 000025
【図２５】
0005580451.tif 000026
【図２６】
0005580451.tif 000027
【図２７】
0005580451.tif 000028
【図２８】
0005580451.tif 000029
【図２９】
0005580451.tif 000030
【図３０】
0005580451.tif 000031
【図３１】
0005580451.tif 000032
【図３２】
0005580451.tif 000033
【図３３】
0005580451.tif 000034
【図３４】
0005580451.tif 000035
【図３５】
0005580451.tif 000036